【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
可変表示の第１実行条件が成立したことにもとづいて各々を識別可能な第１識別情報の可変表示を開始し表示結果を導出表示する第１可変表示手段と、可変表示の第２実行条件が成立したことにもとづいて各々を識別可能な第２識別情報の可変表示を開始し表示結果を導出表示する第２可変表示手段とを備え、前記第１可変表示手段と前記第２可変表示手段のいずれかに特定表示結果が導出表示されたときに遊技者にとって有利な特定遊技状態に移行させるとともに、所定の移行条件が成立したときに該特定遊技状態が終了したのちに通常状態であるときに比べて演出識別情報の可変表示の表示結果が前記特定表示結果となりやすい特別遊技状態に移行させる遊技機であって、
前記第１可変表示手段または前記第２可変表示手段の可変表示の開始に応じて演出識別情報の可変表示を開始し、前記第１可変表示手段または前記第２可変表示手段の表示結果の導出表示に応じて演出識別情報の表示結果を導出表示する演出表示装置と、
前記第１実行条件または前記第２実行条件が成立したが未だ開始されていない可変表示の保留データを、所定の上限値に達するまで記憶可能な保留記憶手段と、
前記第１実行条件または前記第２実行条件の成立にもとづいて、第１識別情報および第２識別情報の表示結果を前記特定表示結果とするか否かと、該特定表示結果とするときに前記所定の移行条件を成立させるか否かとを表示結果の導出表示以前に決定する事前決定手段と、
前記事前決定手段によって前記特定表示結果にしない旨の決定がなされたことにもとづいて、リーチ決定用乱数を用いて前記演出表示装置における演出識別情報の可変表示状態を所定のリーチ状態とするか否かを決定するリーチ決定手段と、
前記リーチ決定手段による決定結果にもとづいて、種別決定用乱数を用いて演出識別情報の可変表示パターン種別を複数種類のいずれかに決定する可変表示パターン種別決定手段と、
前記可変表示パターン種別決定手段により決定された１の可変表示パターン種別に含まれる可変表示パターンの中から可変表示パターン決定用乱数を用いて可変表示パターンを決定する可変表示パターン決定手段と、
前記演出表示装置を用いて演出を実行する演出実行手段とを備え、
前記演出実行手段は、
前記事前決定手段により前記所定の移行条件を成立させると決定されたか否かに関わらず共通の演出を実行可能な共通演出実行手段と、
前記共通演出実行手段により前記共通の演出が実行されているときに、遊技状態が前記特別遊技状態であるか否かにより選択割合が異なる報知演出を実行する報知演出実行手段と、
前記報知演出実行手段による前記報知演出を実行させるか否かを決定する実行決定手段とを含み、
前記実行決定手段は、前回の演出識別情報の可変表示において前記報知演出が実行されたか否かにもとづいて今回の演出識別情報の可変表示において前記報知演出の実行の有無を決定し、前記特別遊技状態に移行されているときには高い割合で前記報知演出を実行すると決定し、
前記可変表示パターン種別決定手段は、
前記リーチ決定手段によってリーチ状態とする旨の決定がなされたことに対応して、前記種別決定用乱数を用いて、演出識別情報の可変表示状態をリーチ状態とする複数種類のリーチ可変表示パターン種別のいずれかに決定し、
前記リーチ決定手段によってリーチ状態としない旨の決定がなされたことに対応して、前記種別決定用乱数を用いて、演出識別情報の可変表示状態をリーチ状態としない複数種類の非リーチ可変表示パターン種別のいずれかを決定し、
前記非リーチ可変表示パターン種別には、演出識別情報の可変表示中に特定の演出を実行する複数種類の非リーチ特定可変表示パターンを含む非リーチ特定可変表示パターン種別と、前記特定の演出を実行しない非リーチ通常可変表示パターンを含む非リーチ通常可変表示パターン種別とがあり、
前記非リーチ特定可変表示パターンは、前記非リーチ通常可変表示パターンに比べて、演出識別情報の可変表示を開始してから表示結果を導出表示するまでの可変表示時間が長くなるように設定され、
前記可変表示パターン種別決定手段は、前記リーチ決定手段によってリーチ状態としない旨の決定がなされたときに、前記非リーチ通常可変表示パターン種別と比較して、低い割合で前記非リーチ特定可変表示パターン種別に決定し、かつ、前記保留記憶手段による保留データの記憶数が所定数未満である場合には、該記憶数が所定数以上である場合と比較して、高い割合で前記非リーチ特定可変表示パターン種別に決定し、
前記可変表示パターン決定手段は、
前記リーチ決定手段によってリーチ状態とする旨の決定がなされたことに対応して、前記可変表示パターン決定用乱数を用いて、可変表示パターンを、前記可変表示パターン種別決定手段により決定された１のリーチ可変表示パターン種別に含まれる複数種類の可変表示パターンのいずれかに決定し、
前記リーチ決定手段によってリーチ状態としない旨の決定がなされたこと、および前記可変表示パターン種別決定手段によって前記非リーチ特定可変表示パターン種別に決定されたことに対応して、前記可変表示パターン決定用乱数を用いて、可変表示パターンを、前記非リーチ特定可変表示パターン種別に含まれる複数種類の非リーチ特定可変表示パターンのいずれかに決定する
ことを特徴とする遊技機。
【手続補正２】
【補正対象書類名】明細書
【補正対象項目名】００１０
【補正方法】変更
【補正の内容】
【００１０】
本発明による遊技機は、可変表示の第１実行条件が成立（例えば第１始動入賞口１３への入賞）したことにもとづいて各々を識別可能な第１識別情報（例えば第１特別図柄）の可変表示を開始し表示結果を導出表示する第１可変表示手段（例えば第１特別図柄表示器８ａ）と、可変表示の第２実行条件が成立（例えば第２始動入賞口１４への入賞）したことにもとづいて各々を識別可能な第２識別情報（例えば第２特別図柄）の可変表示を開始し表示結果を導出表示する第２可変表示手段（例えば第２特別図柄表示器８ｂ）とを備え、第１可変表示手段と第２可変表示手段のいずれかに特定表示結果（例えば大当り図柄）が導出表示されたときに遊技者にとって有利な特定遊技状態（例えば大当り遊技状態）に移行させるとともに、所定の移行条件が成立（例えば確変大当りが発生）したときに該特定遊技状態が終了したのちに通常状態であるときに比べて演出識別情報の可変表示の表示結果が特定表示結果となりやすい特別遊技状態（例えば確変状態）に移行させる遊技機であって、第１可変表示手段または第２可変表示手段の可変表示の開始に応じて演出識別情報（例えば演出図柄）の可変表示を開始し、第１可変表示手段または第２可変表示手段の表示結果の導出表示に応じて演出識別情報の表示結果を導出表示する演出表示装置（例えば演出表示装置９）と、第１実行条件または第２実行条件が成立したが未だ開始されていない可変表示の保留データを、所定の上限値に達するまで記憶可能な保留記憶手段と、第１実行条件または第２実行条件の成立にもとづいて、第１識別情報および第２識別情報の表示結果を特定表示結果とするか否かと、該特定表示結果とするときに所定の移行条件を成立させるか否かとを表示結果の導出表示以前に決定する事前決定手段（例えば、遊技制御用マイクロコンピュータ５６０におけるステップＳ６２，Ｓ７３を実行する部分）と、事前決定手段によって特定表示結果にしない旨の決定がなされたことにもとづいて、リーチ決定用乱数を用いて演出表示装置における演出識別情報の可変表示状態を所定のリーチ状態とするか否かを決定するリーチ決定手段と、リーチ決定手段による決定結果にもとづいて、種別決定用乱数を用いて演出識別情報の可変表示パターン種別を複数種類のいずれかに決定する可変表示パターン種別決定手段と、可変表示パターン種別決定手段により決定された１の可変表示パターン種別に含まれる可変表示パターンの中から可変表示パターン決定用乱数を用いて可変表示パターンを決定する可変表示パターン決定手段と、演出表示装置を用いて演出を実行する演出実行手段（例えば、演出制御用マイクロコンピュータ１００における図７２のメイン処理を実行する部分）とを備え、演出実行手段は、事前決定手段により所定の移行条件を成立させると決定されたか否かに関わらず共通の演出（例えば、時短状態および潜伏確変状態で共通の背景の表示状態）を実行可能な共通演出実行手段（例えば、演出制御用マイクロコンピュータ１００におけるステップＳ６１５Ｃ〜Ｓ６１５Ｆを実行する部分）と、共通演出実行手段により共通の演出が実行されているときに、遊技状態が特別遊技状態であるか否かにより選択割合が異なる報知演出（例えば、図４４〜図４６などに示す報知演出）を実行する報知演出実行手段（例えば、演出制御用マイクロコンピュータ１００におけるステップＳ８４３Ａ〜Ｓ８４４Ｆを実行する部分）と、報知演出実行手段による報知演出を実行させるか否かを決定する実行決定手段（例えば、演出制御用マイクロコンピュータ１００におけるステップＳ８２１を実行する部分）とを含み、実行決定手段は、前回の演出識別情報の可変表示において報知演出が実行されたか否かにもとづいて今回の演出識別情報の可変表示において報知演出の実行の有無を決定し、特別遊技状態に移行されているときには高い割合で報知演出を実行する（例えば、報知演出実行決定テーブルを用いてステップＳ４０１〜Ｓ４０２を実行する）と決定し、可変表示パターン種別決定手段は、リーチ決定手段によってリーチ状態とする旨の決定がなされたことに対応して、種別決定用乱数を用いて、演出識別情報の可変表示状態をリーチ状態とする複数種類のリーチ可変表示パターン種別のいずれかに決定し、リーチ決定手段によってリーチ状態としない旨の決定がなされたことに対応して、種別決定用乱数を用いて、演出識別情報の可変表示状態をリーチ状態としない複数種類の非リーチ可変表示パターン種別のいずれかを決定し、非リーチ可変表示パターン種別には、演出識別情報の可変表示中に特定の演出を実行する複数種類の非リーチ特定可変表示パターンを含む非リーチ特定可変表示パターン種別と、特定の演出を実行しない非リーチ通常可変表示パターンを含む非リーチ通常可変表示パターン種別とがあり、非リーチ特定可変表示パターンは、非リーチ通常可変表示パターンに比べて、演出識別情報の可変表示を開始してから表示結果を導出表示するまでの可変表示時間が長くなるように設定され、可変表示パターン種別決定手段は、リーチ決定手段によってリーチ状態としない旨の決定がなされたときに、非リーチ通常可変表示パターン種別と比較して、低い割合で非リーチ特定可変表示パターン種別に決定し、かつ、保留記憶手段による保留データの記憶数が所定数未満である場合には、該記憶数が所定数以上である場合と比較して、高い割合で非リーチ特定可変表示パターン種別に決定し、可変表示パターン決定手段は、リーチ決定手段によってリーチ状態とする旨の決定がなされたことに対応して、可変表示パターン決定用乱数を用いて、可変表示パターンを、可変表示パターン種別決定手段により決定された１のリーチ可変表示パターン種別に含まれる複数種類の可変表示パターンのいずれかに決定し、リーチ決定手段によってリーチ状態としない旨の決定がなされたこと、および可変表示パターン種別決定手段によって非リーチ特定可変表示パターン種別に決定されたことに対応して、可変表示パターン決定用乱数を用いて、可変表示パターンを、非リーチ特定可変表示パターン種別に含まれる複数種類の非リーチ特定可変表示パターンのいずれかに決定することを特徴とする。